(57)【要約】【課題】識別番号の発信を限定する制御装置、機器、システム及びプログラムを提供する。【解決手段】実施形態によれば、制御装置は、指定部と、通信部と、を備える。指定部は、無線通信により制御可能な機器から発信される識別情報の発信時間を指定する。通信部は、前記発信時間を設定する設定信号を前記機器に送信する。【選択図】図１
2018037929.tif 000002
【特許請求の範囲】
【請求項１】
無線通信により制御可能な機器から発信される識別情報の発信時間を指定する指定部と、
前記発信時間を設定する設定信号を前記機器に送信する通信部と、
を備える制御装置。
【請求項２】
前記指定部は、前記発信時間の入力を受け付ける、
前記請求項１に記載の制御装置。
【請求項３】
前記機器の名称を記憶する記憶部と、
前記機器の名称を表示する表示部と、を備え、
前記通信部は、前記識別情報を受信し、前記機器の名称を取得するリクエストを前記機器に送信し、前記リクエストに対するレスポンスとして前記機器の名称を前記機器から受信する、
前記請求項１又は２に記載の制御装置。
【請求項４】
前記指定部は、前記機器の名称の表示設定の変更を受け付け、前記表示設定は、表示又は非表示を示し、
前記表示部は、前記表示設定に基づき前記機器の名称を表示する、
前記請求項３に記載の制御装置。
【請求項５】
前記表示部は、前記記憶部に記憶された前記機器の前記名称を前記名称の受信に応じた表示形式で表示する、
前記請求項３又は４に記載の制御装置。
【請求項６】
前記機器は、発光する点灯部を備える、
前記請求項１乃至５の何れか１項に記載の制御装置。
【請求項７】
前記通信部は、Ｂｌｕｅｔｏｏｔｈ接続をサポートする、
前記請求項１乃至６の何れか１項に記載の制御装置。
【請求項８】
無線通信により識別情報の発信時間を設定する設定信号を受信する受信部と、
前記発信時間を記憶する記憶部と、
前記発信時間に基づき識別情報の発信を制御する制御部と、
無線通信により、前記制御部による発信の制御に基づき前記識別情報を発信する送信部と、
を備える機器。
【請求項９】
前記制御部は、起動後又は他の装置との無線通信が切断した後から時間のカウントを開始しカウント時間が前記発信時間に到達するまでの間、前記識別情報の発信を継続する、
前記請求項８に記載の機器。
【請求項１０】
発光する点灯部を備える、
前記請求項８又は９に記載の機器。
【請求項１１】
前記送信部又は前記受信部は、Ｂｌｕｅｔｏｏｔｈ接続をサポートする、
前記請求項８乃至１０の何れか１項に記載の機器。
【請求項１２】
制御装置と無線通信により制御可能な機器とを備えるシステムであって、
前記制御装置は、
前記機器から発信される識別情報の発信時間を指定する指定部と、
前記発信時間を設定する設定信号を前記機器に送信する通信部と、
を備え、
前記機器は、
無線通信により前記設定信号を受信する受信部と、
前記発信時間を記憶する記憶部と、
前記発信時間に基づき識別情報の発信を制御する制御部と、
無線通信により、前記制御部による発信の制御に基づき前記識別情報を発信する送信部と、
を備える、
システム。
【請求項１３】
制御装置で動作するプログラムであって、
プロセッサに、
無線通信により制御可能な機器から発信される識別情報の発信時間を指定し、
前記発信時間を設定する設定信号を前記機器に送信する、
プログラム。
【発明の詳細な説明】
【技術分野】
【０００１】
本発明の実施形態は、制御装置、機器、システム及びプログラムに関する。
【背景技術】
【０００２】
照明機器などを制御する制御装置には、無線で制御信号を照明機器へ送信し、照明機器を制御するものがある。制御装置は、照明機器から識別番号を受信し、照明機器と通信を確立する。
【０００３】
従来、照明機器は、制御装置と通信が確立するまで識別番号を発信し続けるという課題がある。
【先行技術文献】
【特許文献】
【０００４】
【特許文献１】特開２０１５−０１８６３６号公報
【発明の概要】
【発明が解決しようとする課題】
【０００５】
上記の課題を解決するために、識別番号の発信を限定する制御装置、機器、システム及びプログラムを提供する。
【課題を解決するための手段】
【０００６】
実施形態によれば、制御装置は、指定部と、通信部と、を備える。指定部は、無線通信により制御可能な機器から発信される識別情報の発信時間を指定する。通信部は、前記発信時間を設定する設定信号を前記機器に送信する。
【発明の効果】
【０００７】
この発明によれば、識別番号の発信を限定する照明制御装置、照明機器、照明システム及びプログラムを提供する。
【図面の簡単な説明】
【０００８】
【図１】図１は、第１実施形態に係る照明システムの構成例を示す図である。
【図２】図２は、第１実施形態に係る照明システムの構成例を示す図である。
【図３】図３は、第１実施形態に係る制御装置の構成例を示す図である。
【図４】図４は、第１実施形態に係る照明機器の構成例を示す図である。
【図５】図５は、第１実施形態に係る制御装置の表示例を示す図である。
【図６】図６は、第１実施形態に係る制御装置の表示例を示す図である。
【図７】図７は、第１実施形態に係る制御装置の表示例を示す図である。
【図８】図８は、第１実施形態に係る制御装置の表示例を示す図である。
【図９】図９は、第１実施形態に係る制御装置の表示例を示す図である。
【図１０】図１０は、第１実施形態に係る照明システムの動作例を示すシーケンス図である。
【図１１】図１１は、第１実施形態に係る制御装置の動作例を示すフローチャートである。
【図１２】図１２は、第１実施形態に係る照明システムの動作例を示すシーケンス図である。
【図１３】図１３は、第２実施形態に係る制御装置の動作例を示すフローチャートである。
【発明を実施するための形態】
【０００９】
以下、実施の形態について図面を参照して説明する。  
（第１実施形態）
以下で説明する実施形態に係る制御装置（１０）は、指定部（１１）と、通信部（１５）と、を備える。指定部は、無線通信により制御可能な機器（２０）から発信される識別情報の発信時間を指定する。通信部は、前記発信時間を設定する設定信号を前記機器に送信する。
【００１０】
以下で説明する実施形態に係る前記指定部（１１、１６）は、前記発信時間の入力を受け付ける。
【００１１】
以下で説明する実施形態に係る制御装置は、さらに、記憶部（１４）と、表示部（１７）と、を備える。記憶部は、前記機器の名称を記憶する。表示部は、前記機器の名称を表示する。前記通信部は、前記識別情報を受信し、前記機器の名称を取得するリクエストを前記機器に送信し、前記リクエストに対するレスポンスとして前記機器の名称を前記機器から受信する。
【００１２】
以下で説明する実施形態に係る前記指定部は、前記機器の名称の表示設定の変更を受け付け、前記表示設定は、表示又は非表示を示し、前記表示部は、前記表示設定に基づき前記機器の名称を表示する。
【００１３】
以下で説明する実施形態に係る前記表示部は、前記記憶部に記憶された前記機器の前記名称を前記名称の受信に応じた表示形式で表示する。
【００１４】
以下で説明する実施形態に係る前記機器は、発光する点灯部（２４）を備える。
【００１５】
以下で説明する実施形態に係る前記通信部は、Ｂｌｕｅｔｏｏｔｈ（登録商標）接続をサポートする。
【００１６】
以下で説明する実施形態に係る機器（２０）は、受信部（２３）と、記憶部（２２）と、制御部（２１）と、送信部（２３）と、を備える。受信部は、無線通信により識別情報の発信時間を設定する設定信号を受信する。記憶部は、前記発信時間を記憶する。制御部は、前記発信時間に基づき識別情報の発信を制御する。送信部は、無線通信により、前記制御部による発信の制御に基づき前記識別情報を発信する。
【００１７】
以下で説明する実施形態に係る前記制御部は、起動後又は他の装置との無線通信が切断した後から時間のカウントを開始しカウント時間が前記発信時間に到達するまでの間、前記識別情報の発信を継続する。
【００１８】
以下で説明する実施形態に係る機器は、発光する点灯部（２４）を備える。
【００１９】
以下で説明する実施形態に係る前記送信部又は前記受信部は、Ｂｌｕｅｔｏｏｔｈ接続をサポートする。
【００２０】
以下で説明する実施形態に係るシステム（１）は、制御装置（１０）と無線通信により制御可能な機器（２０）とを備える。前記制御装置は、指定部（１１）と、通信部（１５）と、を備える。指定部は、前記機器から発信される識別情報の発信時間を指定する。通信部は、前記発信時間を設定する設定信号を前記機器に送信する。前記機器は、受信部（２３）と、記憶部（２２）と、制御部（２１）と、送信部（２３）と、を備える。受信部は、無線通信により前記設定信号を受信する。記憶部は、前記発信時間を記憶する。制御部は、前記発信時間に基づき識別情報の発信を制御する。送信部は、無線通信により、前記制御部による発信の制御に基づき前記識別情報を発信する。
を備える。
【００２１】
以下で説明する実施形態に係るプログラムは、制御装置で動作する。プログラムは、プロセッサ（１１）に、無線通信により制御可能な機器から発信される識別情報の発信時間を指定し、前記発信時間を設定する設定信号を前記機器に送信する。
【００２２】
図１は、実施形態に係る照明システム１の構成例を示す図である。  
照明システム１は、制御装置を用いて無線通信により制御可能な照明機器などを制御するシステムである。たとえば、制御装置は、照明機器に制御信号を送信し、照明機器を制御する。たとえば、制御装置は、照明機器をオン若しくはオフにし、又は、照明機器を調光する。照明システム１は、たとえば、住宅、オフィス、美術館又は商業施設などに設置される。
【００２３】
図１が示すように、照明システム１は、制御装置１０、照明機器２０ａ、照明機器２０ｂ及び照明機器２０ｃなどを備える。
【００２４】
制御装置１０は、照明機器２０ａ乃至２０ｃに対して制御信号を送信する。たとえば、制御装置１０は、照明機器２０ａ乃至２０ｃと通信を確立し、制御信号を送信する。また、制御装置１０は、照明機器２０ａ乃至２０ｃから信号を受信してもよい。たとえば、制御装置１０は、照明機器２０ａ乃至２０ｃから調光の状態などを示す信号を受信してもよい。
【００２５】
照明機器２０ａ乃至２０ｃは、制御装置１０からの制御信号に基づいて点灯部を発光させる。たとえば、照明機器２０ａ乃至２０ｃは、制御装置１０からの制御信号に基づいて点灯部をオン若しくはオフし、又は点灯部を調光する。
【００２６】
また、照明機器２０ａ乃至２０ｃは、制御装置１０と通信を確立するまでは、アドバタイジングモードで動作する。照明機器２０ａ乃至２０ｃは、アドバタイジングモードで動作する場合、自身を示す識別情報を所定の間隔で発信し続ける。
【００２７】
なお、照明システム１は、１つ又は２つの照明機器を備えてもよい。また、照明システム１は、４つ以上の照明機器を備えてもよい。照明システム１が備える照明機器の個数は、特定の個数に限定されるものではない。
【００２８】
次に、制御装置１０と照明機器２０とが通信を確立した場合について説明する。  
図２は、制御装置１０と照明機器２０ａとが通信を確立した場合における照明システム１の構成例を示す。  
図２が示すように、制御装置１０は、照明機器２０ａと通信を確立する。  
照明機器２０ａ乃至２０ｃは、制御装置１０と通信を確立すると、接続モードで動作する。照明機器２０ａ乃至２０ｃは、接続モードで動作する場合、識別情報の発信を停止する。
【００２９】
図２が示す例では、照明機器２０ａは、制御装置１０と通信を確立しているので、識別情報の発信を停止している。また、照明機器２０ｂ及び２０ｃは、識別情報の発信を継続する。  
なお、制御装置１０は、複数の照明機器２０と同時に通信を確立してもよい。
【００３０】
次に、制御装置１０の構成例について説明する。  
図３は、制御装置１０の構成例を示すブロック図である。  
図３が示す構成例において、制御装置１０は、基本的な構成として、ＣＰＵ１１、ＲＯＭ１２、ＲＡＭ１３、ＮＶＭ１４、通信部１５、操作部１６及び表示部１７などを備える。これらの各部は、データバスを介して互いに接続されている。なお、制御装置１０は、図３が示すような構成の他に必要に応じた構成を具備したり、特定の構成を除外したりしてもよい。
【００３１】
ＣＰＵ１１（プロセッサ）は、制御装置１０全体の動作を制御する機能を有する。ＣＰＵ１１は、内部キャッシュおよび各種のインターフェースなどを備えても良い。ＣＰＵ１１は、内部メモリ、ＲＯＭ１２又はＮＶＭ１４が予め記憶するプログラムを実行することにより種々の処理を実現する。
【００３２】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００３３】
ＲＯＭ１２は、予め制御用のプログラム及び制御データなどが記憶された不揮発性のメモリである。ＲＯＭ１２に記憶される制御プログラム及び制御データは、予め制御装置１０の仕様に応じて組み込まれる。ＲＯＭ１２は、たとえば、制御装置１０の回路基板を制御するプログラム（例えば、ＢＩＯＳ）などを格納する。
【００３４】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００３５】
ＮＶＭ１４（記憶部）は、データの書き込み及び書き換えが可能な不揮発性のメモリである。ＮＶＭ１４は、例えば、ハードディスク、ＳＳＤ、ＥＥＰＲＯＭ（登録商標）又はフラッシュメモリなどにより構成される。ＮＶＭ１４は、制御装置１０の運用用途に応じて制御プログラム、アプリケーション、及び種々のデータを格納する。
【００３６】
通信部１５は、無線通信で照明機器２０ａ乃至２０ｃとデータを送受信するためのインターフェースである。通信部１５は、たとえば、Ｂｌｕｅｔｏｏｔｈ接続をサポートするインターフェースである。ここでは、通信部１５は、Ｂｌｕｅｔｏｏｔｈ  Ｌｏｗ  Ｅｎｅｒｇｙ（ＢＬＥ）通信をサポートするものとする。
【００３７】
操作部１６は、制御装置１０の操作者によって、種々の操作指示が入力される。操作部１６は、操作者に入力された操作指示の信号をＣＰＵ１１へ送信する。操作部１６は、たとえば、キーボード、テンキー、及び、タッチパネルなどである。
【００３８】
表示部１７は、ＣＰＵ１１の制御により種々の情報を表示する表示装置である。表示部１７は、たとえば、液晶モニタなどである。なお、操作部１６がタッチパネルなどで構成される場合、表示部１７は、操作部１６と一体的に形成されてもよい。
【００３９】
ここでは、操作部１６は、タッチパネルから構成され、表示部１７と一体的に形成されるものとする。
【００４０】
次に、照明機器２０ａ乃至２０ｃの構成例について説明する。照明機器２０ａ乃至２０ｃは、同様の構成であるため、照明機器２０として説明する。
【００４１】
図４は、照明機器２０の構成例を示す図である。  
図４が示すように、照明機器２０は、ＣＰＵ２１、メモリ部２２、通信部２３及び点灯部２４などを備える。これらの各部は、データバスを介して互いに接続されている。なお、照明機器２０は、図４が示すような構成の他に必要に応じた構成を具備したり、特定の構成を除外したりしてもよい。
【００４２】
ＣＰＵ２１（制御部）は、照明機器２０全体の動作を制御する機能を有する。ＣＰＵ２１は、内部キャッシュおよび各種のインターフェースなどを備えても良い。ＣＰＵ２１は、内部メモリ又はメモリ部２２に予め記憶したプログラムを実行することにより種々の処理を実現する。ＣＰＵ２１は、たとえば、プロセッサである。
【００４３】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００４４】
メモリ部２２（記憶部）は、揮発性メモリ及び不揮発性メモリなどから構成される。たとえば、メモリ部２２は、予め制御用のプログラム及び制御データなどを格納する。また、メモリ部２２は、ＣＰＵ２１の処理中のデータなどを一時的に格納する。たとえば、メモリ部２２は、ＣＰＵ２１からの命令に基づき種々の実行中のアプリケーションプログラムを格納する。また、メモリ部２２は、アプリケーションプログラムの実行に必要なデータ及びアプリケーションプログラムの実行結果などを格納してもよい。
【００４５】
メモリ部２２は、自身を示す識別情報を格納する。識別情報は、照明機器２０を特定する情報である。たとえば、識別情報は、照明機器２０を特定する数列、文字列又はそれらの組合せなどである。たとえば、識別情報は、ＭＡＣアドレスなどである。識別情報は、特定の構成に限定されるものではない。
【００４６】
メモリ部２２は、製造時において識別情報を格納してもよい。また、メモリ部２２は、適宜識別情報を更新してもよい。
【００４７】
また、メモリ部２２は、自身の名称を格納する。たとえば、名称は、システムフォーマットに沿った名称である。メモリ部２２は、製造時において名称を格納してもよい。また、メモリ部２２は、ユーザの操作に従って名称を適宜更新してもよい。
【００４８】
通信部２３（送信部、受信部）は、無線通信で制御装置１０とデータを送受信するためのインターフェースである。通信部２３は、たとえば、Ｂｌｕｅｔｏｏｔｈ接続をサポートするインターフェースである。ここでは、通信部２３は、Ｂｌｕｅｔｏｏｔｈ  Ｌｏｗ  Ｅｎｅｒｇｙ（ＢＬＥ）通信をサポートするものとする。
【００４９】
点灯部２４は、ＣＰＵ２１からの信号に基づいて発光する。また、点灯部２４は、ＣＰＵ２１からの信号に基づいて調光する。点灯部２４は、たとえば、図示されない電源部から電力の供給を受けて発光する。点灯部２４は、たとえば、白熱電球、蛍光灯、又は、ＬＥＤなどから構成される。
【００５０】
次に、照明機器２０のＣＰＵ２１が実現する機能について説明する。  
まず、ＣＰＵ２１は、自身を示す識別情報を所定の間隔で発信する機能を有する。  
前述の通り、ＣＰＵ２１は、アドバタイジングモードで動作する場合、識別情報を所定の間隔で発信する。たとえば、ＣＰＵ２１は、自身の電源投入後若しくは再起動後又は接続の切断後、アドバタイジングモードで動作し、識別情報を発信する。
【００５１】
また、ＣＰＵ２１は、識別情報を発信する発信時間（即ち識別情報の発信を開始してから発信を終了するまでの期間）を設定する設定信号を受信する機能を有する。  
たとえば、ＣＰＵ２１は、制御装置１０と通信を確立した後に、制御装置１０から発信時間を設定する設定信号を受信する。設定信号を受信すると、ＣＰＵ２１は、設定信号が示す発信時間を、発信を継続する時間としてメモリ部２２に格納する。
【００５２】
また、ＣＰＵ２１は、設定された発信時間が経過するまで識別情報を発信する機能を有する。  
たとえば、ＣＰＵ２１は、自身の電源投入後若しくは再起動後又は接続の切断後、識別情報の発信を開始する。ＣＰＵ２１は、識別情報の発信を開始すると、時間のカウントを開始する。ＣＰＵ２１は、カウント時間が当該発信時間に到達すると、識別情報の発信を停止する。  
なお、ＣＰＵ２１は、発信時間が設定されていない場合には、制御装置１０と通信を確立するまで識別情報を発信してもよい。
【００５３】
また、ＣＰＵ２１は、名称を取得するリクエストを制御装置１０から受信し、当該リクエストに対するレスポンスとして名称を制御装置１０へ送信する機能を有する。
【００５４】
たとえば、ＣＰＵ２１は、通信部２３を通じてリクエストを受信する。ＣＰＵ２１は、リクエストが格納する識別情報と自身の識別情報とを比較する。ＣＰＵ２１は、両者が一致した場合、メモリ部２２から自身の名称を取得する。ＣＰＵ２１は、取得した名称を含むレスポンスを生成する。ＣＰＵ２１は、通信部１５を通じて当該レスポンスを制御装置１０へ送信する。
【００５５】
次に、制御装置１０のＣＰＵ１１が実現する機能について説明する。  
まず、ＣＰＵ１１は、通信部１５を通じて、照明機器２０が発信する識別情報を受信する機能を有する。  
たとえば、ＣＰＵ１１は、操作部１６を通じて識別情報をスキャンする操作を受け付ける。
【００５６】
図５は、識別情報をスキャンする操作を受け付けるために表示部１７に表示する画面の例である。図５が示すように、ＣＰＵ１１は、表示部１７の下部に、スキャンアイコン３１を表示する。スキャンアイコン３１は、識別情報をスキャンする操作を受け付けるアイコンである。
【００５７】
ユーザは、スキャンアイコン３１をタップして、識別情報をスキャンする操作を入力する。  
ＣＰＵ１１は、識別情報をスキャンする操作を受け付けると、通信部１５を通じた識別情報の受信を開始する。
【００５８】
また、ＣＰＵ１１は、通信部１５を通じて、受信した識別情報を送信した照明機器２０の名称を取得する機能を有する。  
たとえば、ＣＰＵ１１は、名称を取得するリクエストを生成し、通信部１５を通じて当該リクエストを送信する。たとえば、リクエストは、識別情報を格納する。
【００５９】
ＣＰＵ１１は、当該リクエストに対するレスポンスを受信するまで待機する。ＣＰＵ１１は、レスポンスを受信すると、レスポンスから名称を抽出し取得する。
【００６０】
また、ＣＰＵ１１は、名称を取得できた照明機器２０を表示部１７に表示する機能を有する。  
たとえば、ＣＰＵ１１は、名称を取得できた照明機器２０を示す情報として取得した名称を表示部１７に表示する。
【００６１】
図６は、名称を取得できた照明機器２０を表示する表示部１７の画面の例である。図６が示すように、ＣＰＵ１１は、表示部１７に、照明機器２０の名称を示すテーブル３２を表示する。また、ＣＰＵ１１は、テーブル３２内に照明機器２０の名称を表示するセル３３を設定する。  
図６が示す例では、ＣＰＵ１１は、テーブル３２において、照明機器２０の名称「照明器具」をセル３３に表示する。
【００６２】
また、ＣＰＵ１１は、名称を取得できた照明機器２０と通信を確立する機能を有する。  
たとえば、ＣＰＵ１１は、操作部１６を通じて照明機器２０と通信を確立する操作を受け付ける。図６が示す例では、ＣＰＵ１１は、セル３３に対するタップを、セル３３が表示する照明機器２０と通信を確立する操作として受け付ける。
【００６３】
ＣＰＵ１１は、当該操作を受け付けると、当該操作に従って通信部１５を通じて照明機器２０へ接続要求を送信する。ＣＰＵ１１は、照明機器２０から接続要求に対するＡＣＫ応答を受信するまで待機する。ＣＰＵ１１は、ＡＣＫ応答を受信することで、照明機器２０と通信を確立する。
【００６４】
また、ＣＰＵ１１は、発信時間を設定する設定信号を照明機器２０へ送信する機能を有する。  
ＣＰＵ１１は、発信時間を指定する（指定部）。たとえば、ＣＰＵ１１は、発信時間を設定する操作を受け付ける。たとえば、ユーザは、制御装置１０が照明機器２０から名称を取得するために必要な発信時間を入力する。
【００６５】
図７は、発信時間を設定する操作を受け付けるために表示部１７に表示する画面の例である。図７が示すように、ＣＰＵ１１は、プルダウン３４を表示する。ＣＰＵ１１は、プルダウン３４のプルダウンリストとして発信時間を表示する。図７が示す例では、ＣＰＵ１１は、プルダウンリストとして、「５分」、「１０分」、「２０分」及び「５０分」を表示する。
【００６６】
また、ＣＰＵ１１は、表示部１７の下部に、キャンセルアイコン３５及びＯＫアイコン３６を表示する。  
キャンセルアイコン３５は、発信時間の設定を行わないことを示す操作を受け付けるアイコンである。
【００６７】
ＯＫアイコン３６は、プルダウン３４に表示される発信時間を照明機器２０に設定する操作を受け付けるアイコンである。
【００６８】
なお、ＣＰＵ１１は、発信時間を設定する照明機器２０を選択する操作を受け付けた後に、図７の画面を表示してもよい。
【００６９】
ユーザは、ＯＫアイコン３６をタップして、発信時間を設定する操作を入力する。  
ＣＰＵ１１は、発信時間を設定する操作を受け付けると、発信時間を格納する設定信号を生成する。設定信号は、発信時間を設定する照明機器２０の識別情報を格納してもよい。設定信号を生成すると、ＣＰＵ１１は、通信部１５を通じて当該設定信号を照明機器２０へ送信する。
【００７０】
また、ＣＰＵ１１は、名称を取得できた照明機器２０のいくつかを非表示にする機能を有する。  
たとえば、ＣＰＵ１１は、照明機器２０の名称の表示設定の変更を受け付ける。たとえば、ＣＰＵ１１は、表示設定として、所定の照明機器２０を表示又は非表示にする操作を受け付ける。  
図８は、照明機器２０を非表示にする操作を受け付けるために表示部１７に表示する画面の例である。たとえば、ＣＰＵ１１は、テーブル３２内のセル３３へのタップを受け付けると、図８が示す画面を表示する。
【００７１】
図８が示すように、ＣＰＵ１１は、セル３３内にアイコン３８ａ、アイコン３８ｂ及びアイコン３９などを表示する。
【００７２】
アイコン３８ａ及び３８ｂは、所定の操作を受け付けるためのアイコンである。たとえば、アイコン３８ａ及び３８ｂは、照明機器２０との接続、オン／オフ制御、又は、調光などの操作を受け付けるアイコンなどである。  
アイコン３９は、照明機器２０を非表示にする操作を受け付けるアイコンである。
【００７３】
ユーザは、アイコン３８をタップして、照明機器２０を非表示にする操作を入力する。  
ＣＰＵ１１は、照明機器２０を非表示にする操作を受け付けると、当該照明機器２０を非表示にする。たとえば、ＣＰＵ１１は、セル３３をテーブル３２から削除する。
【００７４】
また、ＣＰＵ１１は、非表示に設定された照明機器２０を示す情報をＮＶＭ１４に格納してもよい。ＣＰＵ１１は、次回以降の識別情報のスキャンにおいて当該照明機器２０から名称を取得したとしても当該照明機器の名称を非表示にし続けてもよい。
【００７５】
また、ＣＰＵ１１は、照明機器２０を再度表示させる機能を有する。  
たとえば、ＣＰＵ１１は、非表示にした照明機器２０を表示させる操作を受け付ける。  
図８が示す例では、ＣＰＵ１１は、フィルタアイコン３７を表示する。フィルタアイコン３７は、非表示にした照明機器２０を表示させる操作を受け付けるアイコンである。
【００７６】
たとえば、フィルタアイコン３７は、非表示に設定された照明機器２０を表示しない状態（フィルタオン状態）と、非表示に設定された照明機器２０を表示する状態（フィルタオフ状態）とを切り替えるアイコンである。たとえば、フィルタアイコン３７は、フィルタオン状態ではタップされるとフィルタオフ状態に設定し、フィルタオフ状態ではタップされるとフィルタオン状態に設定するアイコンである。
【００７７】
たとえば、ＣＰＵ１１は、フィルタオン状態でフィルタアイコン３７へのタップを受け付けると、確認のためのダイアログボックスに表示する。
【００７８】
図９は、ＣＰＵ１１がフィルタオン状態でフィルタアイコン３７へのタップを受け付けた場合に表示部１７に表示する画面の例である。  
図９が示すように、ＣＰＵ１１は、表示部１７にダイアログボックス４０を表示する。ＣＰＵ１１は、ダイアログボックス４０内において「○」へのタップを受け付けると、フィルタオフ状態に設定する。即ち、ＣＰＵ１１は、非表示にした照明機器２０をテーブル３２に表示する。
【００７９】
次に、照明システム１の動作例について説明する。  
まず、照明システム１が制御装置１０と照明機器２０との接続を確立する動作例について説明する。
【００８０】
図１０は、照明システム１が制御装置１０と照明機器２０との接続を確立する動作例を説明するためのシーケンス図である。ここでは、制御装置１０は、照明機器２０ａと接続を確立するものとする。また、簡略化のため、図１０は、制御装置１０、照明機器２０ａ及び照明機器２０ｂの動作例を示す。また、照明機器２０ａは、ＣＰＵ２１ａ、メモリ部２２ａ、通信部２３ａ及び点灯部２４ａなどを備えるものとする。また、照明機器２０ｂは、ＣＰＵ２１ｂ、メモリ部２２ｂ、通信部２３ｂ及び点灯部２４ｂなどを備えるものとする。
【００８１】
まず、照明機器２０ａのＣＰＵ２１ａは、通信部２３ａを通じた識別情報の発信を開始する（Ｓ１１）。また、照明機器２０ｂのＣＰＵ２１ｂは、通信部２３ｂを通じた識別情報の発信を開始する（Ｓ１２）。
【００８２】
制御装置１０のＣＰＵ１１は、通信部１５を通じて識別情報のスキャンを開始する（Ｓ１３）。たとえば、ＣＰＵ１１は、ユーザからの操作に基づいて識別情報のスキャンを開始する。
【００８３】
識別情報のスキャンを開始すると、ＣＰＵ１１は、通信部１５を通じて照明機器２０ａから識別情報を受信する（Ｓ１４）。照明機器２０ａから識別情報を受信すると、ＣＰＵ１１は、通信部１５を通じて照明機器２０ｂから識別情報を受信する（Ｓ１５）。
【００８４】
照明機器２０ｂから識別情報を受信すると、ＣＰＵ１１は、通信部１５を通じて照明機器２０ａへ名称を取得するリクエストを送信する（Ｓ１６）。
【００８５】
照明機器２０ａのＣＰＵ２１ａは、通信部２３ａを通じてリクエストを受信する。リクエストを受信すると、ＣＰＵ２１ａは、通信部２３ａを通じて名称を含むレスポンスを制御装置１０へ送信する（Ｓ１７）。
【００８６】
制御装置１０のＣＰＵ１１は、通信部１５を通じて照明機器２０ａからレスポンスを受信する。照明機器２０ａからレスポンスを受信すると、ＣＰＵ１１は、通信部１５を通じて照明機器２０ｂへ名称を取得するリクエストを送信する（Ｓ１８）。
【００８７】
照明機器２０ｂのＣＰＵ２１ｂは、通信部２３ｂを通じてリクエストを受信する。リクエストを受信すると、ＣＰＵ２１ｂは、通信部２３ｂを通じて名称を含むレスポンスを制御装置１０へ送信する（Ｓ１９）。
【００８８】
制御装置１０のＣＰＵ１１は、通信部１５を通じて照明機器２０ｂからレスポンスを受信する。照明機器２０ｂからレスポンスを受信すると、ＣＰＵ１１は、照明機器２０ａから受信したレスポンスが含む名称と、照明機器２０ｂから受信したレスポンスが含む名称と、を表示部１７に表示する（Ｓ２０）。
【００８９】
両名称を表示部１７に表示すると、ＣＰＵ１１は、通信部１５を通じて接続要求を照明機器２０ａに送信する（Ｓ２１）。たとえば、ＣＰＵ１１は、操作部１６を通じて照明機器２０ａへ接続させる操作を受け付けて、接続要求を照明機器２０ａへ送信する。
【００９０】
照明機器２０ａのＣＰＵ２１ａは、通信部２３ａを通じて制御装置１０から接続要求を受信する。制御装置１０から接続要求を受信すると、ＣＰＵ２１ａは、通信部２３ａを通じてＡＣＫ応答を制御装置１０へ送信する（Ｓ２２）。
【００９１】
制御装置１０のＣＰＵ１１は、通信部１５を通じて照明機器２０ａからＡＣＫ応答を受信する（Ｓ２３）。照明機器２０ａからＡＣＫ応答を受信すると、ＣＰＵ１１は、接続モードで動作する（Ｓ２３）。
【００９２】
照明機器２０ａのＣＰＵ２１ａは、通信部１５を通じてＡＣＫ応答を制御装置１０へ送信すると、接続モードで動作する（Ｓ２４）。
【００９３】
照明システム１は、以上の動作によって制御装置１０と照明機器２０ａとの間の通信を確立する。  
なお、制御装置１０のＣＰＵ１１は、照明機器２０ａから識別情報を受信した後に照明機器２０ａに名称を取得するリクエストを送信してもよい。
【００９４】
次に、制御装置１０が照明機器２０の名称を表示する動作例について説明する。  
図１１は、制御装置１０が照明機器２０の名称を表示する動作例について説明するためのフローチャートである。
【００９５】
まず、制御装置１０のＣＰＵ１１は、通信部１５を通じて識別情報のスキャンを開始する（Ｓ３１）（Ｓ１３に対応）。識別情報のスキャンを開始すると、ＣＰＵ１１は、通信部１５を通じて識別情報を受信したか判定する（Ｓ３２）。
【００９６】
識別情報を受信していないと判定すると（Ｓ３２、ＮＯ）、ＣＰＵ１１は、Ｓ３２に戻る。  
識別情報を受信したと判定すると（Ｓ３２、ＹＥＳ）（Ｓ１４又はＳ１５に対応）、ＣＰＵ１１は、通信部１５を通じて、識別情報が示す照明機器２０に名称を取得するリクエストを送信する（Ｓ３３）（Ｓ１６又はＳ１８に対応）。
【００９７】
照明機器２０に当該リクエストを送信すると、ＣＰＵ１１は、通信部１５を通じて、照明機器２０から名称を含むレスポンスを受信したか判定する（Ｓ３４）。レスポンスを受信したと判定すると（Ｓ３４、ＹＥＳ）（Ｓ１７又はＳ１９に対応）、ＣＰＵ１１は、表示部１７に当該レスポンスが含む名称を表示する（Ｓ３５）（Ｓ２０に対応）。
【００９８】
レスポンスを受信しないと判定した場合（Ｓ３４、ＮＯ）（たとえば、所定の時間レスポンスを受信しない場合）、又は、表示部１７に当該レスポンスが含む名称を表示した場合（Ｓ３５）、ＣＰＵ１１は、動作を終了する。
【００９９】
なお、ＣＰＵ１１は、複数の識別情報を受信した場合、各識別情報に関してＳ３３乃至Ｓ３５を実行してもよい。また、ＣＰＵ１１は、各識別情報に関してＳ３３乃至Ｓ３５を同時並行して実行してもよい。
【０１００】
次に、照明システム１が照明機器２０に発信時間を設定する動作例について説明する。  
図１２は、照明システム１が照明機器２０に発信時間を設定する動作例について説明するためのシーケンス図である。ここでは、照明システム１は、照明機器２０ａに発信時間を設定するものとする。また、制御装置１０は、照明機器２０ａ及び２０ｂとの通信を確立しているものとする。
【０１０１】
まず、制御装置１０のＣＰＵ１１は、操作部１６を通じて、照明機器２０ａに発信時間を設定する操作を受け付ける（Ｓ４１）。当該操作を受け付けると、ＣＰＵ１１は、通信部１５を通じて、当該操作が示す発信時間を設定する設定信号を照明機器２０ａへ送信する（Ｓ４２）。
【０１０２】
照明機器２０ａのＣＰＵ２１ａは、通信部２３ａを通じて制御装置１０から設定信号を受信する。設定信号を受信すると、ＣＰＵ２１ａは、設定信号が示す設定時間を、発信を継続する時間としてメモリ部２２ａに格納する（Ｓ４３）。設定時間をメモリ部２２ａに格納すると、ＣＰＵ２１ａは、通信部２３ａを通じてＡＣＫ応答を送信する（Ｓ４４）。
【０１０３】
ここで、照明機器２０ａ及び２０ｂは、制御装置１０との通信を切断し、又は、再起動するものとする。
【０１０４】
照明機器２０ａのＣＰＵ２１ａは、通信部２３ａを通じた識別情報の発信を開始する（Ｓ４５）。また、照明機器２０ｂのＣＰＵ２１ｂは、通信部２３ｂを通じた識別情報の発信を開始する（Ｓ４６）。
【０１０５】
照明機器２０ａのＣＰＵ２１ａは、識別情報の発信を開始してからメモリ部２２に発信を継続する時間として格納した発信時間が経過すると、通信部２３ａを通じた識別情報の発信を停止する（Ｓ４７）。
【０１０６】
なお、照明機器２０ｂのＣＰＵ２１ｂは、通信部２３ｂを通じた識別情報の発信を継続する。
【０１０７】
以上のように構成された照明システムは、ユーザの操作に従って照明機器に対して識別情報の発信を継続する時間を設定することができる。照明機器は、接続の切断後、起動後又は再起動後に識別情報の発信を開始し、設定された時間を経過すると識別情報の発信を停止する。その結果、照明システムは、照明機器が識別情報を発信する時間を限定することができる。従って、照明システムは、不正に制御装置に識別情報が表示される恐れを低下させることができ、セキュリティを向上させることができる。
【０１０８】
また、照明システムは、識別情報を発信している照明機器の中で名称を示すレスポンスを制御装置へ送信する照明機器を制御装置に表示させることができる。そのため、照明システムは、接続可能な照明機器をユーザに提示することができる。
【０１０９】
また、照明システムは、ユーザの操作に従って特定の照明機器を制御装置に表示させないことができる。そのため、照明システムは、表示領域が限定的である制御装置が不要な情報を表示することを防止することができる。また、照明システムは、不要な情報を表示しないことでユーザビリティを向上させることができる。
（第２実施形態）
次に、第２実施形態について説明する。  
第２実施形態に係る照明システム１は、制御装置１０が過去に通信を確立した照明機器２０の名称を表示部１７に表示する点で第１実施形態に係る照明システム１と異なる。従って、その他の点については、同一の符号を付して詳細な説明を省略する。
【０１１０】
次に、制御装置１０のＣＰＵ１１の動作例について説明する。  
まず、ＣＰＵ１１は、通信部１５を通じて通信を確立した照明機器２０の識別情報及び名称をＮＶＭ１４に格納する機能を有する。  
たとえば、ＣＰＵ１１は、通信部１５を通じて照明機器２０と通信を確立すると、当該照明機器２０の識別情報及び名称として、過去に通信を確立した照明機器２０の識別情報及び名称をＮＶＭ１４に格納する。
【０１１１】
なお、ＣＰＵ１１は、照明機器２０との通信が切断したときに、当該照明機器２０の識別情報をＮＶＭ１４に格納してもよい。
【０１１２】
また、ＣＰＵ１１は、表示部１７に過去に通信を確立した照明機器２０の名称を表示部１７に表示する機能を有する。  
たとえば、ＣＰＵ１１は、今回受信した識別情報と過去に通信を確立した照明機器２０の識別情報（過去の識別情報）とを比較する。ＣＰＵ１１は、過去の識別情報の中で今回受信しなかった識別情報がある場合、当該識別情報に対応する名称をＮＶＭ１４から取得する。ＣＰＵ１１は、取得した名称をグレーアウトしてテーブル３２に表示する。
【０１１３】
また、ＣＰＵ１１は、過去の識別情報の中で今回名称を取得することができなかった識別情報を抽出する。ＣＰＵ１１は、抽出した識別情報に対応する名称をＮＶＭ１４から取得する。ＣＰＵ１１は、取得した名称をグレーアウトしてテーブル３２に表示する。  
即ち、ＣＰＵ１１は、過去に通信を確立した照明機器２０の名称を名称の受信に応じた表示形式で表示する。
【０１１４】
なお、ＣＰＵ１１は、名称に接続不可能なことを示す情報を付して表示部１７に表示してもよい。ＣＰＵ１１が過去に通信を確立した照明機器２０の名称の表示方法は、特定の構成に限定されるものではない。
【０１１５】
次に、ＣＰＵ１１が照明機器２０の名称を表示する動作例について説明する。  
図１３は、ＣＰＵ１１が照明機器２０の名称を表示する動作例について説明するためのフローチャートである。図１１と同様の動作については、説明を省略する。
【０１１６】
識別情報を受信したと判定すると（Ｓ３２、ＹＥＳ）、ＣＰＵ１１は、過去の識別情報の中で今回受信しなかった識別情報があるか判定する（Ｓ５１）。受信しなかった識別情報があると判定すると（Ｓ５１、ＹＥＳ）、ＣＰＵ１１は、当該識別情報に対応する名称をグレーアウトして表示部１７に表示する（Ｓ５２）。受信しなかった識別情報がないと判定した場合（Ｓ５１、ＮＯ）、又は、当該識別情報に対応する名称をグレーアウトして表示部１７に表示した場合、ＣＰＵ１１は、Ｓ３３へ進む。
【０１１７】
レスポンスを受信しないと判定すると（Ｓ３４、ＮＯ）、ＣＰＵ１１は、レスポンスがなかった照明機器２０の識別情報が過去の識別情報に含まれるか判定する（Ｓ５３）。レスポンスがなかった照明機器２０の識別情報が過去の識別情報に含まれると判定すると（Ｓ５３、ＹＥＳ）、ＣＰＵ１１は、当該識別情報に対応する名称をグレーアウトして表示部１７に表示する（Ｓ５４）。レスポンスがなかった照明機器２０の識別情報が過去の識別情報に含まれないと判定した場合（Ｓ５３、ＮＯ）、又は、当該識別情報に対応する名称をグレーアウトして表示部１７に表示した場合、ＣＰＵ１１は、動作を終了する。
【０１１８】
なお、ＣＰＵ１１は、複数の識別情報を受信した場合、各識別情報に関してＳ５３及びＳ５４を実行してもよい。また、ＣＰＵ１１は、各識別情報に関してＳ５３及びＳ５４を同時並行して実行してもよい。
【０１１９】
また、ＣＰＵ１１は、所定の期間、識別番号を受信してもよい。ＣＰＵ１１は、所定の期間経過後に、Ｓ５１以降に進んでもよい。
【０１２０】
以上のように構成された照明システムは、制御装置１０が過去に接続したことのある照明機器の名称を表示することができる。その結果、照明システムは、過去に接続したことのある照明機器の識別情報及び名称を取得できない場合であっても、ユーザに接続したことのある照明機器の名称を提示することができる。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１…照明システム、１０…制御装置、１１…ＣＰＵ、１４…ＮＶＭ、１５…通信部、１６…操作部、１７…表示部、２０（２０ａ乃至２０ｃ）…照明機器、２１（２１ａ及び２１ｂ）…ＣＰＵ、２３（２３ａ乃至２３ｂ）…通信部、２４…点灯部。
【図１】
2018037929.tif 000003
【図２】
2018037929.tif 000004
【図３】
2018037929.tif 000005
【図４】
2018037929.tif 000006
【図５】
2018037929.tif 000007
【図６】
2018037929.tif 000008
【図７】
2018037929.tif 000009
【図８】
2018037929.tif 000010
【図９】
2018037929.tif 000011
【図１０】
2018037929.tif 000012
【図１１】
2018037929.tif 000013
【図１２】
2018037929.tif 000014
【図１３】
2018037929.tif 000015